(57)【要約】      （修正有）【課題】着用者が装身具を着脱自在に着用すべく、雄型部材を雌型部材に嵌入してこれらを磁着することで装身具の両端部を連結する装身具用留め具に関し、着用者の意図せず両部材が外れ難くした装身具用留め具を提供する。【解決手段】装身具用留め具１は、雄型部材２と、雌型部材３とからなる。雄型部材２は、第１の磁性体と、第１の装身具取付部２ｂと、カバー体２ｃと、持ち手とを備える。雌型部材は、第２の磁性体と、第２の装身具取付部３ｂと、カバー体３ｃと、収容部と、収容口３ｅと、装身具引き出し部と、逸脱防止部３ｇと、収容口方向認識部３ｈと、ストッパー部材とを備える。装身具Ａの両端部が反対方向に引っ張られた際に、雄型部材側の装身具端部と雄型部材とが屈曲し、嵌入部の外周面が収容部の内周面と摩擦して、雄型部材が雌型部材から容易に外れ難くなる。【選択図】図５
2019162418.tif 000002
【特許請求の範囲】
【請求項１】
雄型部材を雌型部材に嵌入してこれらを磁着させることによって装身具の両端部を連結する装身具用留め具であって、雄型部材と、雌型部材とからなり、該雄型部材は、第１の磁性体と、第１の装身具取付部と、カバー体とを備えており、該雌型部材における収容口を介して収容部に嵌入する嵌入部を有しており、該第１の磁性体は、磁性を帯びた部材であって、第２の磁性体に磁着することによって、該雄型部材と該雌型部材とを連結するための部材であり、該第１の装身具取付部は、装身具の一端部を取り付けるための箇所であって、第２の装身具取付部とは該雄型部材を該雌型部材に嵌入する方向上で対向しないように配置されており、該カバー体は、該第１の磁性体の全部又は一部を収容するとともに、該第１の装身具取付部を設置するための部材であり、該雌型部材は、第２の磁性体と、第２の装身具取付部と、カバー体とを備えており、該第２の磁性体は、磁性を帯びた部材であって、該第１の磁性体に磁着することによって、該雌型部材と該雄型部材とを連結するための部材であり、該第２の装身具取付部は、該装身具の他端部を取り付けるための箇所であって、該第１の装身具取付部とは該雄型部材を該雌型部材に嵌入する方向上で対向しないように配置されており、該カバー体は、該第２の磁性体を収容するとともに、該第２の装身具取付部を設置するための部材であって、該雄型部材における嵌入部を収容するための収容部とその出入口である収容口とを有しており、相互に連結された該装身具の両端部が反対方向に引っ張られた際に、該第１の装身具取付部が該第２の装身具取付部から該雌型部材側へと位置するように配置されているか、あるいは該第２の装身具取付部が該第１の装身具取付部から該雄型部材側へと位置するように配置されていることを特徴とする装身具用留め具。
【請求項２】
雄型部材を雌型部材に嵌入してこれらを磁着させることによって装身具の両端部を連結する装身具用留め具であって、雄型部材と、雌型部材とからなり、該雄型部材は、第１の磁性体と、第１の装身具取付部と、カバー体とを備えており、該雌型部材における収容口を介して収容部に嵌入する嵌入部を有しており、該第１の磁性体は、磁性を帯びた部材であって、第２の磁性体に磁着することによって、該雄型部材と該雌型部材とを連結するための部材であり、該第１の装身具取付部は、装身具の一端部を取り付けるための箇所であって、第２の装身具取付部とは該雄型部材を該雌型部材に嵌入する方向上で対向しないように配置されており、該カバー体は、該第１の磁性体の全部又は一部を収容するとともに、該第１の装身具取付部を設置するための部材であり、該雌型部材は、第２の磁性体と、第２の装身具取付部と、カバー体とを備えており、該第２の磁性体は、磁性を帯びた部材であって、該第１の磁性体に磁着することによって、該雌型部材と該雄型部材とを連結するための部材であり、該第２の装身具取付部は、該装身具の他端部を取り付けるための箇所であって、該第１の装身具取付部とは該雄型部材を該雌型部材に嵌入する方向上で対向しないように配置されており、該カバー体は、該第２の磁性体を収容するとともに、該第２の装身具取付部を設置するための部材であって、該雄型部材における嵌入部を収容するための収容部とその出入口である収容口とを有しており、該雄型部材と該雌型部材とを連結した場合に、該雄型部材を該雌型部材に嵌入する方向に対して、該第２の装身具取付部の位置が該第１の装身具取付部の位置以上に高い箇所にあることを特徴とする装身具用留め具。
【請求項３】
請求項３に係る装身具用留め具は、請求項１又は２に記載した装身具用留め具であって、前記第１の磁性体が前記嵌入部において前記雌型部材に係るカバー体から外面上に露出しており、該嵌入部の長さを該雌型部材における前記収容部の幅方向の長さよりも長く形成することを特徴とする装身具用留め具。
【請求項４】
請求項１又は２に記載した装身具用留め具であって、前記第１の磁性体が前記嵌入部の外側面において前記雄型部材におけるカバー体によって覆われており、前記雌型部材における収容部は、その全長を該雄型部材の全長よりも長く形成し、装身具の一端部を引き出すための装身具引き出し部が設けられていることを特徴とする装身具用留め具。
【請求項５】
請求項１から４までの何れかに記載した装身具用留め具であって、ストッパー部材が設けられており、該ストッパー部材は、前記収容口を閉塞することによって前記雄型部材の脱出を防止するための部材であって、開閉可能に前記雌型部材に取り付けられていることを特徴とする装身具用留め具。
【請求項６】
請求項１から５までの何れかに記載した装身具用留め具であって、前記第２の装身具取付部が前記収容口からその外方に突出した位置に設けられていることを特徴とする装身具用留め具。
【請求項７】
請求項１から６までの何れかに記載した装身具用留め具であって、前記収容口の近傍に、前記雄型部材が該収容口から逸れて前記雌型部材方向へと進入し、該雌型部材の外周面上に誤って磁着することを防止するための逸脱防止部が設けられており、該逸脱防止部は、該雌型部材において該収容口からその外周面に向って広がる形状を有していることを特徴とする装身具用留め具。
【請求項８】
請求項１から７までの何れかに記載した装身具用留め具であって、該装身具用留め具の連結及び解除を行う際に、着用者がその操作を行うための持ち手が、前記雄型部材及び／又は前記雌型部材に突設されていることを特徴とする装身具用留め具。
【請求項９】
請求項１から８までの何れかに記載した装身具用留め具であって、該装身具用留め具の連結を解除する際に、着用者がその指で該装身具用留め具を摘むための摘み凹部が前記雄型部材と前記雌型部材とに跨って設けられていることを特徴とする装身具用留め具。
【請求項１０】
請求項１から８までの何れかに記載した装身具用留め具であって、該装身具用留め具の連結を解除する際に着用者が前記雄型部材と前記雌型部材とを摘むことができるようにするため、正面視幅方向の長さと奥行き方向の長さとを異なるものとしていることを特徴とする装身具用留め具。
【請求項１１】
請求項１から１０までの何れかに記載した装身具用留め具であって、前記雌型部材におけるカバー体の外周面上に、前記収容口が前記雄型部材を嵌入する方向に対向していることを着用者が接触して認識するための目印になる収容口方向認識部が設けられていることを特徴とする装身具用留め具。
【請求項１２】
請求項１から１１までの何れかに記載した装身具用留め具であって、前記雌型部材につき、前記雄型部材を収容した際に、前記収容部において、該雄型部材に係るカバー体が当接する箇所よりも、該雄型部材に係るカバー体が当接しない箇所が細く形成されていることを特徴とする装身具用留め具。
【請求項１３】
請求項１から１２までの何れかに記載した装身具用留め具であって、前記第２の磁性体の厚さが、前記収容部の幅の長さよりも厚く形成されていることを特徴とする装身具用留め具。
【請求項１４】
請求項１から１３までの何れかに記載した装身具用留め具であって、前記第２の磁性体が前記雌型部材に係るカバー体の下部ないしその近傍から該カバー体の内部へと挿し入れられて取り付けられていることを特徴とする装身具用留め具。
【請求項１５】
請求項１から１４までの何れかに記載した装身具用留め具であって、前記雄型部材におけるカバー体と前記雌型部材におけるカバー体とが当接する箇所が単数又は複数の凹凸状に対向する形状になっていることを特徴とする装身具用留め具。
【発明の詳細な説明】
【技術分野】
【０００１】
本発明は、着用者がネックレスやブレスレット等の各種の装身具を着脱自在に着用するために、該装身具の両端部を連結するために用いる装身具用留め具であって、特に雄型部材を雌型部材に嵌入してこれらを磁着させることによって該装身具の両端部を連結する装身具用留め具に関する。
【背景技術】
【０００２】
従来、上記のような装身具用留め具としては、例えば、雄型部材と雌型部材の両部分で嵌め合う２つの部分からなり、嵌め合うと短小の円柱形状になる小円柱の嵌め合う部分の一方を永久磁性体にし、他方を感磁体に形成し、両嵌合柱体の後端に小鎖への取付部を備えた身回装身具の小鎖の止具が提案されている（例えば、下記の特許文献１を参照）。
【０００３】
しかしながら、上記のような従来技術に係る装身具用留め具は、雄型部材と雌型部材とにそれぞれ設けられている装身具取付部が、雄型部材を雌型部材に嵌入する方向上で対向するように配置されているため、両部材が外れ易いという問題があった。そこで、比較的大型の磁性体を用いることによって、着用者の意図することなく雄型部材と雌型部材とが外れないようにしてきた。しかしながら、大型の磁性体を用いると、いきおい装身具用留め具も大型化するとともにその重量も増大するため、装身具の美観を損なうとともに、着用者の身体的な負担が増加するという問題があった。
【０００４】
そこで、雌型部材を正面視Ｖ字形等に形成することによって、雄型部材が雌型部材に対して平行にならないようにすることで、着用者の意図することなく両部材が外れることが少なくなるようにした装身具用留め具が提案されている（例えば、下記の特許文献２を参照）。
【０００５】
上記のような従来技術に係る装身具用留め具によれば、雄型部材と雌型部材とにそれぞれ設けられている装身具取付部が、雄型部材を雌型部材に嵌入する方向上で対向するようには配置されていないため、着用者の意図することなく両部材が外れることが少なくなる。従って、このような装身具用留め具によれば、比較的小型の磁性体によって磁着させることができるため、上記のような大型の磁性体を用いる場合のように、装身具用留め具が大型化したり重量を増大したりすることもない。そのため、装身具の美観を損なったり、着用者の身体的な負担が増加したりする問題は生じることがなく、好適である。
【先行技術文献】
【特許文献】
【０００６】
【特許文献１】実開昭６０−１３１７号公報
【特許文献２】特開２０１２−８１２４０号公報
【発明の概要】
【発明が解決しようとする課題】
【０００７】
しかしながら、上記の従来技術に係る装身具用留め具によっても、なお着用者の意図することなく両部材が外れてしまうことがあった。
【０００８】
そこで、本発明が解決しようとする第１の課題は、雄型部材を雌型部材に嵌入してこれらを磁着させることによって装身具の両端部を連結する装身具用留め具であって、着用者の意図することなく両部材が外れ難くした装身具用留め具を提供することにある。
【０００９】
次に、上記の従来技術に係る装身具用留め具は、雄型部材と雌型部材とを接近させる方向等によっては、例えば雌型部材の外側面といったように、雄型部材が本来これを嵌入して磁着させるべき雌型部材の収容部以外の箇所に付着してしまうという問題があった（例えば、上記の特許文献２を参照）。
【００１０】
また、上記の従来技術に係る装身具用留め具において、例えば、雄型部材における磁性体が雌型部材における磁性体よりも小さいと、雄型部材が雌型部材の周縁部に磁着し易くなるといったように、雄型部材における磁性体と雌型部材における磁性体との大きさが異なる場合にも、雄型部材が本来これを嵌入して磁着させるべき雌型部材の収容部以外の箇所に付着してしまうという問題があった。
【００１１】
そこで、本発明が解決しようとする第２の課題は、雄型部材を雌型部材に嵌入してこれらを磁着させることによって装身具の両端部を連結する装身具用留め具であって、雄型部材が雌型部材における収容部内へと正確に収容することができる装身具用留め具を提供することにある。
【００１２】
また、装身具用留め具は、特にそのコンパクト化を図ったり、あるいは丸みを帯びた形状にしたりすることで、美感性が向上したり、あるいは着用者がその指で触れた際の触感が向上したりする一方で、着用者が装身具用留め具を手で摘むのが困難になり、その結果装身具用留め具の連結及び／又は解除を行うための操作が困難になるという問題がある。
【００１３】
そこで、本発明が解決しようとする第３の課題は、雄型部材を雌型部材に嵌入してこれらを磁着させることによって装身具の両端部を連結する装身具用留め具であって、着用者が装身具用留め具の連結及び／又はその解除を行う際に、その操作を行い易くした装身具用留め具を提供することにある。
【００１４】
また、上記の従来技術に係る装身具用留め具によれば、雌型部材が均一の太さを有する筒状の部材によって形成されているため（例えば、上記の特許文献２を参照）、例えばネックレスの両端部を首の後ろで連結するといったように、着用者が視認することのできない場所で装身具を着用する際は、着用者は雌型部材における雄型部材を収容するための収容口が雄型部材を嵌入する方向に対向しているのか否かが認識し難かった。そのため、着用者は、雄型部材を雌型部材に嵌入する際に、円滑に嵌入し難いという問題があった。
【００１５】
そこで、本発明が解決しようとする第４の課題は、雄型部材を雌型部材に嵌入してこれらを磁着させることによって装身具の両端部を連結する装身具用留め具であって、雄型部材を雌型部材に嵌入する際に、着用者が雌型部材の収容口が雄型部材を嵌入する方向に対向しているのかを認識し易くした装身具用留め具を提供することにある。
【００１６】
また、上記の従来技術に係る装身具用留め具は、雌型部材が同一の太さによって形成されていたため、これが大型化してしまうという問題があった（例えば、上記の特許文献２を参照）。このように、装身具用留め具が大型化してしまうと、着用者がその重みを感じて身体的な負担になるとともに、装身具の美観性にも悪影響を及ぼすことがあった。
【００１７】
そこで、本発明が解決しようとする第５の課題は、雄型部材を雌型部材に嵌入してこれらを磁着させることによって装身具の両端部を連結する装身具用留め具であって、特に雌型部材を細く形成することによって、そのコンパクト化を図った装身具用留め具を提供することにある。
【００１８】
更に、上記の従来技術に係る装身具用留め具は、雌型部材の収容部内に磁性体を設置する際に、雄型部材を磁着させるのに適合する磁極を収容口方向に向けなければならないにも拘らず、これがその設置作業に際して反転する等して、雌型部材において雄型部材を磁着させるのに適合する磁極を収容口方向に向けて設置することが困難であるという問題があった。
【００１９】
そこで、本発明が解決しようとする第６の課題は、雄型部材を雌型部材に嵌入してこれらを磁着させることによって装身具の両端部を連結する装身具用留め具であって、雌型部材において雄型部材を磁着させるのに適合する磁極を収容口方向に向けて設置することを容易にする装身具用留め具を提供することにある。
【課題を解決するための手段】
【００２０】
本発明は、上記の各課題を解決するために提案されたものであり、以下の構成を有するものである。以下では、本発明の構成を理解することを補助するために、本願に添付した図面に表示した番号及び符号をあわせて記載する。
【００２１】
請求項１ないし１５に係る装身具用留め具（１）は、雄型部材（２）を雌型部材（３）に嵌入してこれらを磁着させることによって装身具（Ａ）の両端部を連結する装身具用留め具であって、雄型部材（２）と、雌型部材（３）とからなる。
【００２２】
雄型部材（２）は、第１の磁性体（２ａ）と、第１の装身具取付部（２ｂ）と、カバー体（２ｃ）とを備えており、雌型部材（３）における収容口（３ｅ）を介して収容部（３ｄ）に嵌入する嵌入部（２ｄ）を有する。第１の磁性体（２ａ）は、磁性を帯びた部材であって、第２の磁性体（３ａ）に磁着することによって、雄型部材（２）と雌型部材（３）とを連結するための部材である。第１の装身具取付部（２ｂ）は、装身具（Ａ）の一端部を取り付けるための箇所であって、第２の装身具取付部（３ｂ）とは雄型部材（２）を雌型部材（３）に嵌入する方向上で対向しないように配置されている。カバー体（２ｃ）は、第１の磁性体（２ａ）の全部又は一部を収容するとともに、第１の装身具取付部（２ｂ）を設置するための部材である。
【００２３】
雌型部材（３）は、第２の磁性体（３ａ）と、第２の装身具取付部（３ｂ）と、カバー体（３ｃ）とを備えている。第２の磁性体（３ａ）は、磁性を帯びた部材であって、第１の磁性体（２ａ）に磁着することによって、雌型部材（３）と雄型部材（２）とを連結するための部材である。第２の装身具取付部（３ｂ）は、装身具（Ａ）の他端部を取り付けるための箇所であって、第１の装身具取付部（２ｂ）とは雄型部材（２）を雌型部材（３）に嵌入する方向上で対向しないように配置されている。カバー体（３ｃ）は、第２の磁性体（３ａ）を収容するとともに、第２の装身具取付部（３ｂ）を設置するための部材であって、雄型部材（２）における嵌入部（２ｄ）を収容するための収容部（３ｄ）とその出入口である収容口（３ｅ）とを有している。
【００２４】
請求項１に係る装身具用留め具（１）は、相互に連結された装身具（Ａ）の両端部が反対方向に引っ張られた際に、第１の装身具取付部（２ｂ）が第２の装身具取付部（３ｂ）から雌型部材（３）側へと位置するように配置されているか、あるいは第２の装身具取付部（３ｂ）が第１の装身具取付部（２ｂ）から雄型部材（２）側へと位置するように配置されている。
【００２５】
請求項２に係る装身具用留め具（１）は、雄型部材（２）と雌型部材（３）とを連結した場合に、雄型部材（２）を雌型部材（３）に嵌入する方向に対して、第２の装身具取付部（３ｂ）の位置が第１の装身具取付部（２ｂ）の位置以上に高い箇所にある。
【００２６】
請求項３に係る装身具用留め具（１）は、請求項１又は２に記載した装身具用留め具（１）であって、第１の磁性体（２ａ）が嵌入部（２ｄ）においてカバー体（２ｃ）から外面上に露出しており、嵌入部（２ｄ）の長さを雌型部材（３）における収容部（３ｄ）の幅方向の長さよりも長く形成する。
【００２７】
請求項４に係る装身具用留め具（１）は、請求項１又は２に記載した装身具用留め具（１）であって、第１の磁性体（２ａ）が嵌入部（２ｄ）の外側面においてカバー体（２ｃ）によって覆われており、雌型部材（３）における収容部（３ｄ）は、その全長を雄型部材（２）の全長よりも長く形成し、装身具（Ａ）の一端部を引き出すための装身具引き出し部（３ｆ）が設けられている。
【００２８】
請求項５に係る装身具用留め具（１）は、請求項１から４までの何れかに記載した装身具用留め具（１）であって、ストッパー部材（３ｉ）が設けられている。ストッパー部材（３ｉ）は、収容口（３ｅ）を閉塞することによって雄型部材（２）の脱出を防止するための部材であって、開閉可能に雌型部材（３）に取り付けられている。
【００２９】
請求項６に係る装身具用留め具（１）は、請求項１から５までの何れかに記載した装身具用留め具（１）であって、第２の装身具取付部（３ｂ）が雌型部材（３）における収容口（３ｅ）からその外方に突出した位置に設けられている。
【００３０】
請求項７に係る装身具用留め具（１）は、請求項１から６までの何れかに記載した装身具用留め具（１）であって、収容口（３ｅ）の近傍に、雄型部材（２）が収容口（３ｅ）から逸れて雌型部材（３）方向へと進入し、雌型部材（３）の外周面上に誤って磁着することを防止するための逸脱防止部（３ｇ）が設けられている。逸脱防止部（３ｇ）は、雌型部材（３）において収容口（３ｅ）からその外周面に向って広がる形状を有している。
【００３１】
請求項８に係る装身具用留め具（１）は、請求項１から７までの何れかに記載した装身具用留め具（１）であって、装身具用留め具（１）の連結及び解除を行う際に、着用者がその操作を行うための持ち手（２ｅ）が、雄型部材（２）及び／又は雌型部材（３）に突設されている。
【００３２】
請求項９に係る装身具用留め具（１）は、請求項１から８までの何れかに記載した装身具用留め具（１）であって、装身具用留め具（１）の連結を解除する際に、着用者がその指で装身具用留め具（１）を摘むための摘み凹部（１ａ）が雄型部材（２）と雌型部材（３）とに跨って設けられている。
【００３３】
請求項１０に係る装身具用留め具（１）は、請求項１から８までの何れかに記載した装身具用留め具（１）であって、装身具用留め具（１）の連結を解除する際に着用者が雄型部材（２）と雌型部材（３）とを摘むことができるようにするため、正面視幅方向の長さと奥行き方向の長さとを異なるものとしている。
【００３４】
請求項１１に係る装身具用留め具（１）は、請求項１から１０までの何れかに記載した装身具用留め具（１）であって、雌型部材（３）におけるカバー体（３ｃ）の外周面上に、雌型部材（３）の収容口（３ｅ）が雄型部材（２）を嵌入する方向に対向していることを着用者が接触して認識するための目印になる収容口方向認識部（３ｈ）が設けられている。
【００３５】
請求項１２に係る装身具用留め具（１）は、請求項１から１１までの何れかに記載した装身具用留め具（１）であって、雌型部材（３）につき、雄型部材（２）を収容した際に、収容部（３ｄ）において、雄型部材（２）に係るカバー体（２ｃ）が当接する箇所よりも、雄型部材（２）に係るカバー体（２ｃ）が当接しない箇所が細く形成されている。
【００３６】
請求項１３に係る装身具用留め具（１）は、請求項１から１２までの何れかに記載した装身具用留め具（１）であって、第２の磁性体（３ａ）の厚さが、収容部（３ｄ）の幅の長さよりも厚く形成されている。
【００３７】
請求項１４に係る装身具用留め具（１）は、請求項１から１３までの何れかに記載した装身具用留め具（１）であって、第２の磁性体（３ａ）が雌型部材（３）に係るカバー体（３ｃ）の下部ないしその近傍からカバー体（３ｃ）の内部へと挿し入れられて取り付けられている。
【００３８】
請求項１５に係る装身具用留め具（１）は、請求項１から１４までの何れかに記載した装身具用留め具（１）であって、雄型部材（２）におけるカバー体（２ｃ）と雌型部材（３）におけるカバー体（３ｃ）とが当接する箇所が単数又は複数の凹凸状に対向する形状になっている。
【発明の効果】
【００３９】
本発明に係る装身具用留め具（１）は、上記の通りの構成であるから、以下のような効果を奏することができる。
【００４０】
まず、請求項１に記載した装身具用留め具（１）は、第１の装身具取付部（２ｂ）と第２の装身具取付部（３ｂ）とが、雄型部材（２）を雌型部材（３）に嵌入する方向上で対向しないように配置されているとともに、相互に連結された装身具（Ａ）の両端部が反対方向に引っ張られた際に、第１の装身具取付部（２ｂ）が第２の装身具取付部（３ｂ）から雌型部材（３）側へと位置するように配置されているか、あるいは第２の装身具取付部（３ｂ）が第１の装身具取付部（２ｂ）から雄型部材（２）側へと位置するように配置されている。
【００４１】
また、請求項２に係る装身具用留め具（１）は、雄型部材（２）と雌型部材（３）とを連結した場合に、雄型部材（２）を雌型部材（３）に嵌入する方向に対して、第２の装身具取付部（３ｂ）の位置が第１の装身具取付部（２ｂ）の位置以上に高い箇所にある。
【００４２】
そうすると、請求項１又は２に記載した装身具用留め具（１）は、装身具（Ａ）の両端部が反対方向に引っ張られた際に、雄型部材（２）側の装身具（Ａ）端部と雄型部材（２）とが第１の装身具取付部（２ｂ）において屈曲し、嵌入部（２ｄ）の外周面が収容部（３ｄ）の内周面と摩擦することによって、雄型部材（２）が雌型部材（３）から容易に外れ難くなる。
【００４３】
従って、請求項１又は２に記載した装身具用留め具（１）は、雄型部材を雌型部材に嵌入してこれらを磁着させることによって装身具の両端部を連結する装身具用留め具であって、着用者の意図することなく両部材が外れ難くした装身具用留め具を提供するという本発明が解決しようとする第１の課題を解決することができる。
【００４４】
また、請求項３に係る装身具用留め具（１）は、第１の磁性体（２ａ）が嵌入部（２ｄ）においてカバー体（２ｃ）から露出しているため、第１の磁性体（２ａ）の外周面全体をカバー体（２ｃ）で覆うよりも、雄型部材（２）及びこれを嵌入する雌型部材（３）を細く形成できることから、装身具用留め具（１）をコンパクトに形成することができる。また、嵌入部（２ｄ）の長さを雌型部材（３）における収容部（３ｄ）の幅方向の長さよりも長く形成することによって、雄型部材（２）が収容口（３ｅ）に引っ掛かって、雄型部材（２）と雌型部材（３）とが外れ難くなっており、上記の本発明が解決しようとする第１の課題を解決するのに好適である。
【００４５】
そして、磁性体の種類によっては腐食し易かったり破損し易かったりするものもあるところ、請求項４に係る装身具用留め具（１）は、第１の磁性体（２ａ）が嵌入部（２ｄ）の外側面においてカバー体（２ｃ）によって覆われているため、その腐食や破損のおそれを減殺することができる。また、請求項３に係る装身具用留め具（１）は、収容部（２）の全長が雄型部材（２）の全長よりも長いものとされており、装身具（Ａ）の一端部を引き出すための装身具引き出し部（３ｆ）が設けられているため、雄型部材（２）が装身具引き出し部（３ｆ）に引っ掛かって、雄型部材（２）と雌型部材（３）とが外れ難くなっており、上記の本発明が解決しようとする第１の課題を解決するのに好適である。
【００４６】
更に、請求項５に記載した装身具用留め具（１）は、ストッパー部材（３ｉ）を備えているところ、ストッパー部材を閉鎖状態にして収容口（３ｅ）を閉塞することによって雄型部材（２）の脱出を防止することができるため、上記の本発明が解決しようとする第１の課題を解決するのに好適である。
【００４７】
請求項６に係る装身具用留め具（１）は、第２の装身具取付部（３ｂ）が雌型部材（３）における収容口（３ｅ）からその外方に突出した位置に設けられている。そうすると、雄型部材（２）を雌型部材（３）の収容口（３ｅ）から収容部（３ｄ）へと進入させる際に、第２の装身具取付部（３ｂ）がその進入を阻害することがない。
【００４８】
従って、請求項６に記載した装身具用留め具（１）は、雄型部材を雌型部材に嵌入してこれらを磁着させることによって装身具の両端部を連結する装身具用留め具であって、雄型部材が雌型部材における収容部内へと正確に収容することができる装身具用留め具を提供するという本発明の第２の課題を解決することができる。
【００４９】
次に、請求項７に記載した装身具用留め具（１）は、雌型部材（３）における収容口（３ｅ）の近傍に、収容口（３ｅ）からその外周面に向って広がる形状を有している逸脱防止部（３ｇ）を有している。
【００５０】
そうすると、雄型部材（２）が収容口（３ｅ）から逸れて雌型部材（３）方向へと進入し、雌型部材（３）の外周面上といった本来雄型部材（２）を嵌入して磁着させるべき雌型部材（３）の収容部（３ｄ）以外の箇所に誤って磁着することを防止できるため、上記の本発明が解決しようとする第２の課題を解決するのに好適である。
【００５１】
また、請求項８に記載した装身具用留め具（１）は、装身具用留め具（１）の連結及び／又はその解除を行う際に、着用者がその操作を行うための持ち手（２ｅ）が、雄型部材（２）及び／又は雌型部材（３）に突設されている。そうすると、雄型部材を雌型部材に嵌入してこれらを磁着させることによって装身具の両端部を連結する装身具用留め具であって、着用者が装身具用留め具の連結及び／又はその解除を行う際に、その操作を行い易くした装身具用留め具を提供するという本発明が解決しようとする第３の課題を解決することができる。また、上記のような持ち手（２ｅ）が備えられていると、雄型部材（２）を雌型部材（３）の収容部（３ｄ）へと案内し易くなり、着用者は嵌入部（２ｄ）が収容部（３ｄ）内に収容されたことを明確に認識することができる。よって、請求項８に記載した装身具用留め具（１）は、上記の本発明の第２の課題を解決するのにも好適である。
【００５２】
請求項９に係る装身具用留め具（１）は、装身具用留め具（１）の連結を解除する際に、着用者がその指で装身具用留め具（１）を摘むための摘み凹部（１ａ）が雄型部材（２）と雌型部材（３）とに跨って設けられている。そうすると、装身具用留め具（１）の連結を解除する際に、着用者がその指を摘み凹部（１ａ）に挿し込まれると、着用者の指によって押圧された雄型部材（２）と雌型部材（３）とは離れることになる。よって、請求項９に記載した装身具用留め具（１）は、上記の本発明の第３の課題を解決するのに好適である。
【００５３】
請求項１０に係る装身具用留め具（１）は、装身具用留め具（１）の連結を解除する際に着用者が雄型部材（２）と雌型部材（３）とを摘むことができるようにするため、正面視幅方向の長さと奥行き方向の長さとを異なるものとしている。そうすると、装身具用留め具（１）の連結を解除する際、着用者が雄型部材（２）と雌型部材（３）とを捻ると、着用者の指が引っ掛かる個所が生じる。よって、請求項１０に記載した装身具用留め具（１）は、上記の本発明の第３の課題を解決するのに好適である。
【００５４】
また、請求項１１に記載した装身具用留め具（１）は、雌型部材（３）の収容口（３ｅ）が雄型部材（２）を嵌入する方向に対向していることを着用者が接触して認識するための目印になる収容口方向認識部（３ｈ）が雌型部材（３）におけるカバー体（３ｃ）の外周面上に設けられている。そうすると、着用者は、装身具（Ａ）を着脱する際、収容口方向認識部（３ｈ）に接触することによって、雌型部材（３）の収容口（３ｅ）が雄型部材（２）を嵌入する方向に対向しているのか否かを認識することができる。よって、着用者は、雄型部材（２）を雌型部材（３）に嵌入する際に、円滑にこれを嵌入することができる。
【００５５】
従って、請求項１１に記載した装身具用留め具（１）は、雄型部材を雌型部材に嵌入してこれらを磁着させることによって装身具の両端部を連結する装身具用留め具であって、雄型部材を雌型部材に嵌入する際に、着用者が雌型部材の収容口が雄型部材を嵌入する方向に対向しているのかが認識し易い装身具用留め具を提供するという本発明の第４の課題を解決することができる。
【００５６】
請求項１２に係る装身具用留め具（１）は、雌型部材（３）につき、雄型部材（２）を収容した際に、収容部（３ｄ）においてカバー体（２ｃ）が当接する箇所よりもカバー体（２ｃ）が当接しない箇所が細く形成されている。そうすると、装身具用留め具（１）の大型化を防止することができ、着用者がその重みを感じて身体的な負担になるとともに、装身具の美観性に悪影響を及ぼすことを防止できる。
【００５７】
従って、請求項１２に記載した装身具用留め具（１）は、雄型部材を雌型部材に嵌入してこれらを磁着させることによって装身具の両端部を連結する装身具用留め具であって、特に雌型部材を細く形成することによって、そのコンパクト化を図った装身具用留め具を提供するという本発明が解決しようとする第５の課題を解決することができる。
【００５８】
特に、請求項１４に記載した装身具用留め具（１）は、第２の磁性体（３ａ）が雌型部材（３）に係るカバー体（３ｃ）の下部ないしその近傍からカバー体（３ｃ）の内部へと挿し入れられて取り付けられている。そうすると、第２の磁性体（３ａ）として薄型の磁性体を簡便に取り付けられるようになり、雌型部材（３）の更なるコンパクト化を図ることができて、好適である。
【００５９】
また、請求項１３に記載した装身具用留め具（１）は、雌型部材（３）における第２の磁性体（３ａ）の厚さが、収容部（３ｄ）の幅の長さよりも厚く形成されている。そうすると、請求項８に記載した装身具用留め具（１）は、雌型部材（３）の収容部（３ｄ）内に第２の磁性体（３ａ）を設置する際に、これがその設置作業に際して反転しまう等することがなく、雌型部材（３）において雄型部材（２）を磁着させるのに適合する磁極を収容口（３ｅ）方向に向けて簡便に設置することができる。
【００６０】
従って、請求項１３に記載した装身具用留め具（１）は、雄型部材を雌型部材に嵌入してこれらを磁着させることによって装身具の両端部を連結する装身具用留め具であって、雌型部材において雄型部材を磁着させるのに適合する磁極を収容口方向に向けて設置することを容易にする装身具用留め具を提供するという本発明が解決しようとする第６の課題を解決することができる。
【００６１】
最後に、請求項１５に係る装身具用留め具（１）は、雄型部材（２）におけるカバー体（２ｃ）と雌型部材（３）におけるカバー体（３ｃ）とが当接する箇所が単数又は複数の凹凸状に対向する形状になっているため、特に雄型部材（２）を雌型部材（３）に嵌入する方向に対して直交する方向に引っ張られることがあっても、雄型部材（２）が雌型部材（３）から容易に外れ難くなっているため、上記の本発明が解決しようとする第１の課題を解決するのに好適である。また、雄型部材（２）を雌型部材（３）に嵌入する方向に対して垂直に引っ張られることがあっても、第１の磁性体（２ａ）及び第２の磁性体（３ａ）に過度の負担がかからないため、これらが破損するおそれを低減することができる。そして、雄型部材（２）と雌型部材（３）との連結を解除する際は、両部材を反対方向に回動させることにより、雄型部材（２）におけるカバー体（２ｃ）の凸部が雌型部材（３）におけるカバー体（３ｃ）の凸部に乗り上げる格好になり、第１の磁性体（２ａ）と第２の磁性体（３ａ）との間に間隙が生じるため、簡便にそれらの連結を解除することができる。
【図面の簡単な説明】
【００６２】
【図１】本発明の第１実施形態に係る装身具用留め具を取り外した状態を示した正面図である。
【図２】図１の一部断面図である。
【図３】本発明の第１実施形態に係る装身具用留め具を連結した状態を示した正面図である。
【図４】図３の一部断面図である。
【図５】本発明の第１実施形態に係る装身具用留め具の作用効果を説明する図である。
【図６】本発明の第２実施形態に係る装身具用留め具を取り外した状態を示した正面図である。
【図７】図６の一部断面図である。
【図８】本発明の第２実施形態に係る装身具用留め具を連結した状態を示した正面図である。
【図９】図８の一部断面図である。
【図１０】本発明の第２実施形態に係る装身具用留め具の作用効果を説明する図である。
【図１１】本発明の第２実施形態の別の態様に係る装身具用留め具を取り外した状態を示した正面図である。
【図１２】本発明の第２実施形態の別の態様に係る装身具用留め具を連結した状態を示した正面図である。
【図１３】本発明の第３実施形態に係る装身具用留め具を取り外した状態を示した正面図である。
【図１４】図１３の一部断面図である。
【図１５】本発明の第３実施形態に係る装身具用留め具を連結した状態を示した正面図である。
【図１６】図１５の一部断面図である。
【図１７】本発明の第３実施形態に係る装身具用留め具の作用効果を説明する図である。
【図１８】本発明の第４実施形態に係る装身具用留め具の正面図である。
【図１９】本発明の第４実施形態に係る装身具用留め具の側面図である。
【図２０】本発明の第５実施形態に係る装身具用留め具の正面図である。
【図２１】本発明の第５実施形態に係る装身具用留め具の側面図である。
【図２２】本発明の第５実施形態に係る装身具用留め具の作用効果を説明する平面図である。
【図２３】本発明の第６実施形態に係る装身具用留め具の正面図である。
【図２４】図２３に示した装身具用留め具とは別の態様に係る本発明の第６実施形態に係る装身具用留め具の正面図である。
【図２５】図２４に示した装身具用留め具に取っ手を設けた態様に係る本発明の第６実施形態に係る装身具用留め具の正面図である。
【発明を実施するための形態】
【００６３】
まず、本発明の第１実施形態に係る装身具用留め具（１）の構造について添付図面に基づいて説明する。
【００６４】
装身具用留め具（１）は、図１ないし５に図示するように、雄型部材（２）を雌型部材（３）に嵌入してこれらを磁着させることによって装身具（Ａ）の両端部を連結する装身具用留め具であって、雄型部材（２）と、雌型部材（３）とから構成される。
【００６５】
雄型部材（２）は、図１ないし５に図示するように、第１の磁性体（２ａ）と、第１の装身具取付部（２ｂ）と、カバー体（２ｃ）とを備えており、雌型部材（３）における収容口（３ｅ）を介して収容部（３ｄ）に嵌入する嵌入部（２ｄ）を有する。雄型部材（２）の全長は、雌型部材（３）における収容部（３ｄ）の幅方向の長さよりも長く形成する。
【００６６】
第１の磁性体（２ａ）は、磁性を帯びた部材であって、第２の磁性体（３ａ）に磁着することによって、雄型部材（２）と雌型部材（３）とを連結するための部材である。第１の磁性体（２ａ）は、永久磁石等を用いることができるが、第２の磁性体（３ａ）に磁着することができる素材であれば、特にその素材は限定されない。また、第１の磁性体（２ａ）は、図では円柱状であるが、雌型部材（３）の収容部（３ｄ）内に嵌合することができる形状であれば、その形状も特に限定されない。
【００６７】
第１の磁性体（２ａ）は、嵌入部（２ｄ）においてカバー体（２ｃ）から外面上に露出している。そうすると、装身具用留め具（１）は、雄型部材（２）を比較的細く形成することができ、雌型部材（３）に嵌入した時にその収容部（３ｄ）との間で摩擦を生じることもない。そうすると、雌型部材（３）における収容部（３ｄ）のスペースを広くする必要がないため、雌型部材（３）の小型化も図ることができる。第１の磁性体（２ａ）を上記のように形成することにより、装身具用留め具（１）は、その小型化を図ることができるため、その重みによる着用者の身体的な負担を軽減することができるとともに、装身具（Ａ）の美観性を損なうこともなく、好適である。尚、嵌入部（２ｄ）の長さを比較的長く形成すると、着用者がこれを収容部（３ｄ）内へと進入させ易くなり、一層好適である。
【００６８】
第１の装身具取付部（２ｂ）は、装身具（Ａ）の一端部を取り付けるための箇所であって、後述するように、第２の装身具取付部（３ｂ）とは雄型部材（２）を雌型部材（３）に嵌入する方向上で対向しないように配置されている。第１の装身具取付部（２ｂ）は、図では、リング状の部材であるが、例えば、フック状等であってもよく、装身具（Ａ）を取り付けることができる形態であれば、特に限定されない。
【００６９】
カバー体（２ｃ）は、第１の磁性体（２ａ）の全部又は一部を収容するとともに、第１の装身具取付部（２ｂ）を設置するための部材である。カバー体（２ｃ）は、有天筒状の部材であって、第１の磁性体（２ａ）の基部が取り付けられているとともに、第１の装身具取付部（２ｂ）を取り付けられている。もっとも、カバー体（２ｃ）は、第１の磁性体（２ａ）を収容できるとともに、第１の装身具取付部（２ｂ）を設置できる部材であれば、その形状等は特に限定されない。
【００７０】
雌型部材（３）は、図１ないし５に図示するように、第２の磁性体（３ａ）と、第２の装身具取付部（３ｂ）と、カバー体（３ｃ）とを備えている。
【００７１】
第２の磁性体（３ａ）は、磁性を帯びた部材であって、第１の磁性体（２ａ）に磁着することによって、雌型部材（３）と雄型部材（２）とを連結するための部材である。第２の磁性体（３ａ）は、第１の磁性体（２ａ）と同様に、永久磁石等を用いることができるが、第１の磁性体（２ａ）に磁着することができる素材であれば、特にその素材は限定されない。また、第２の磁性体（３ａ）は、図では円柱状であるが、雌型部材（３）の収容部（３ｄ）内に収容することができる形状であれば、その形状も特に限定されない。
【００７２】
また、第２の磁性体（３ａ）の厚さは、収容部（３ｄ）の幅の長さよりも厚く形成するのが好適である。即ち、第２の磁性体（３ａ）の厚さを上記のように形成すると、収容部（３ｄ）内に第２の磁性体（３ａ）を設置する際に、これがその設置作業に際し反転してしまう等することがなく、雌型部材（３）において雄型部材（２）を磁着させるのに適合する磁極を収容口（３ｅ）方向に向けて簡便に設置することができるためである。
【００７３】
第２の装身具取付部（３ｂ）は、装身具（Ａ）の他端部を取り付けるための箇所であって、前述した第１の装身具取付部（２ｂ）とは雄型部材（２）を雌型部材（３）に嵌入する方向上で対向しないように配置されている。第２の装身具取付部（３ｂ）は、図ではリング状の部材であるが、前述した第１の装身具取付部（２ｂ）と同様に、例えばフック状等であってもよく、装身具（Ａ）を取り付けることができる形態であれば、特に限定されない。
【００７４】
カバー体（３ｃ）は、第２の磁性体（３ａ）を収容するとともに、第２の装身具取付部（３ｂ）を設置するための部材であって、雄型部材（２）における嵌入部（２ｄ）を収容するための収容部（３ｄ）とその出入口である収容口（３ｅ）とを有している。
【００７５】
カバー体（３ｃ）は、例えば、正面視Ｌ字形の部材とし、その一端側に収容口（３ｅ）を設け、他端側に第２の装身具取付部（３ｂ）を設け、収容部（３ｄ）を設ける側よりも第２の装身具取付部（３ｂ）を設ける側を長く形成する。カバー体（３ｃ）をこのように形成することによって、第１の装身具取付部（２ｂ）と第２の装身具取付部（３ｂ）とは雄型部材（２）を雌型部材（３）に嵌入する方向上で対向しないように配置することができるとともに、装身具用留め具（１）は、相互に連結された装身具（Ａ）の両端部が反対方向に引っ張られた際に、第２の装身具取付部（３ｂ）が第１の装身具取付部（２ｂ）から雄型部材（２）側へと位置するように配置することができる。もっとも、カバー体（３ｃ）は、後述する本発明の第２実施形態に係る装身具留め具のように、他の形状の部材であっても、同様の効果を発揮することは可能であり、また、雄型部材（２）に係るカバー体（２ｃ）を上記のような形状に形成することによっても、同様の効果を発揮することができる。
【００７６】
雌型部材（３）は、収容口（３ｅ）の近傍に、雄型部材（２）が収容口（３ｅ）から逸れて雌型部材（３）方向へと進入し、雌型部材（３）の外周面上に誤って磁着することを防止するための逸脱防止部（３ｇ） が設けられている。逸脱防止部（３ｇ）は、雌型部材（３）において収容口（３ｅ）からその外周面に向って広がる形状を有している。具体的には、カバー体（３ｃ）の下方から上方へと漏斗状に延びる部位を設けることによって逸脱防止部（３ｇ）を形成することができる。もっとも、逸脱防止部（３ｇ）は、図６ないし１０に図示するように、リング状の部位といった他の形状の部位を設けることによっても、同様の効果を発揮することができ、特に上記のような形状の部位を設けることに限定されるものではない。また、図では、逸脱防止部（３ｇ）は収容口（３ｅ）の全周にわたって外周面に拡がる形状となっているが、その一部において外周面に拡がる形状になっていてもよい。
【００７７】
雌型部材（３）は、カバー体（３ｃ）の外周面上に、収容口（３ｅ）が雄型部材（２）を嵌入する方向に対向していることを着用者が接触して認識するための目印になる収容口方向認識部（３ｈ）が設けられている。具体的には、収容口（３ｅ）の近傍をリング状に膨出させることによって、収容口方向認識部（３ｈ）とすることができる。もっとも、収容口方向認識部（３ｈ）は、上記のような形態に限られるものではなく、後述する本発明の第２実施形態に係る装身具用留め具のように、他の形態であっても収容口方向認識部（３ｈ）とすることは可能である。
【００７８】
以上が、本発明の第１実施形態に係る装身具用留め具（１）の構造についての説明である。次に、本発明の第２実施形態に係る装身具用留め具（１）の構造について添付図面に基づいて説明する。尚、本発明の第２実施形態に係る装身具用留め具（１）の構造は、下記の事項以外、前記の本発明の第１実施形態に係る装身具用留め具（１）の構造と同一である。
【００７９】
雄型部材（２）は、図６ないし１０に図示するように、第１の磁性体（２ａ）が嵌入部（２ｄ）の外側面においてカバー体（２ｃ）によって覆われている。ここで、カバー体（２ｃ）は、有天筒状の部材である。そうすると、第１の磁性体（２ａ）として用いる磁性体の種類によっては腐食し易かったり破損し易かったりするものもあるところ、その腐食や破損のおそれを減殺することができ、好適である。
【００８０】
また、雌型部材（３）について、図６ないし１０に図示するように、収容部（３ｄ）は、その全長が雄型部材（２）の全長よりも長く形成されており、装身具（Ａ）の一端部を引き出すための装身具引き出し部（３ｆ）が設けられている。そうすると、雄型部材（２）が装身具引き出し部（３ｆ）に引っ掛かって、雄型部材（２）と雌型部材（３）とが外れ難くなっている。
【００８１】
ここで、雌型部材（３）には、図１１及び１２に図示するように、ストッパー部材（３ｉ）を設けることもできる。ストッパー部材（３ｉ）は、収容口（３ｅ）を閉塞することによって雄型部材（２）の脱出を防止するための部材であって、開閉可能に雌型部材（３）に取り付けられている。具体的には、図示するように、ストッパー部材（３ｉ）は、平板状の棒状の部材であって、リング状の部材を介して、開閉可能に雌型部材（３）に取り付けられている。尚、この場合、ストッパー部材の端部に第２の装身具取付部（３ｂ）を設けることもできる。
【００８２】
雌型部材（３）は、図６ないし１０に図示するように、カバー体（３ｃ）として、例えば有底筒状の部材を用いることができるが、特にその形状は限定されない。もっとも、雄型部材（２）を収容した際に、収容部（３ｄ）について、雄型部材（２）に係るカバー体（２ｃ）が当接する箇所よりも、カバー体（２ｃ）が当接しない箇所が細く形成されている。そうすると、装身具用留め具（１）の大型化を防止することができ、着用者がその重みを感じて身体的な負担になるとともに、装身具の美観性に悪影響を及ぼすことを防止でき、好適である。また、収容口方向認識部（３ｈ）は、収容部（３ｄ）の外周面上に棒状の部材を付着させることによって形成されている。尚、図では、雌型部材（２）につき、一体的に形成されたカバー体（３ｃ）の内部に第２の磁性体（２ａ）を収容しているが、筒状部と底部とを別体のものとして形成した上で、第２の磁性体（２ａ）を挟み込むようにして筒状部と底部とを接着することによって、これを簡便に形成することも可能である。雄型部材（２）と雌型部材（３）とを上記のように形成することによって、図示するように、装身具用留め具（１）は、雄型部材（２）と雌型部材（３）とを連結した場合に、雄型部材（２）を雌型部材（３）に嵌入する方向に対して、第２の装身具取付部（３ｂ）の位置が第１の装身具取付部（２ｂ）の位置以上に高い箇所にあるように形成することができる。
【００８３】
以上が、本発明の第２実施形態に係る装身具用留め具（１）の構造についての説明である。次に、本発明の第３実施形態に係る装身具用留め具（１）の構造について添付図面に基づいて説明する。尚、本発明の第３実施形態に係る装身具用留め具（１）の構造は、下記の事項以外、前記の本発明の第１実施形態及び第２実施形態に係る装身具用留め具（１）の構造と同一である。
【００８４】
雄型部材（２）には、図１３ないし１７に図示するように、持ち手（２ｅ）が設けられている。持ち手（２ｅ）は、装身具用留め具（１）の連結及び解除を行う際に、着用者がその操作を行うための部材である。具体的には、図示するように、平板状の棒状部材を雄型部材（３）の上端部からその周方向へと突出するように延設することによって、持ち手（２ｅ）とすることができる。もっとも、持ち手（２ｅ）は、平板状の棒状部材を雄型部材（３）の上端部からその上方へと突出するように延設してもよく、特にその形態が限定されるものではない。尚、図では、雄型部材（２）にのみ持ち手（２ｅ）を設けているが、雌型部材（３）に持ち手を設けても良いし、雄型部材（２）と雌型部材（３）の双方に持ち手を設けても良い。
【００８５】
装身具用留め具（１）は、特にそのコンパクト化を図ったり、あるいは丸みを帯びた形状にしたりすることで、美感性が向上したり、あるいは着用者がその指で触れた際の触感が向上したりする一方で、着用者が装身具用留め具を手で摘むのが困難になり、その結果装身具用留め具（１）の連結及び／又は解除の操作が困難になるという問題がある。そこで、装身具用留め具（１）に上記のような持ち手（２ｅ）を設けておくと、着用者による上記の操作が行い易くなるとともに、雄型部材（２）を雌型部材（３）の収容部（３ｄ）へと案内し易くなり、着用者は嵌入部（２ｄ）が収容部（３ｄ）内に収容されたことを明確に認識することができる。
【００８６】
雌型部材（３）において、第２の装身具取付部（３ｂ）は、雌型部材（３）における収容口（３ｅ）からその外方に突出した位置に設けられている。具体的には、第２の装身具取付部（３ｂ）は、図１３ないし１７に図示するように、収容口（３ｅ）の近傍から上外方へと延びる腕部の先端に設けられている。第２の装身具取付部（３ｂ）をこのような位置に設けることにより、雄型部材（２）を雌型部材（３）の収容口（３ｅ）から収容部（３ｄ）へと進入させる際に、第２の装身具取付部（３ｂ）がその進入を阻害することがなくなって、好適である。
【００８７】
第２の磁性体（３ａ）は、雌型部材（３）に係るカバー体（３ｃ）の下部ないしその近傍からカバー体（３ｃ）の内部へと挿し入れられて取り付けられている。即ち、図１３ないし１７に図示するように、カバー体（３ｃ）に第２の磁性体（３ａ）を取り付けるに当たっては、カバー体（３ｃ）の下部から第２の磁性体（３ａ）の内部へと挿し入れて取り付け、適宜底部を設けるのである。あるいは、カバー体（３ｃ）の下部近傍の外周側面に孔部を穿設して、そこから第２の磁性体（３ａ）の内部へと挿し入れて取り付けてもよい。そうすると、第２の磁性体（３ａ）として薄型の磁性体を簡便に取り付けられるようになり、雌型部材（３）の更なるコンパクト化を図ることができて、好適である。
【００８８】
以上が、本発明の第３実施形態に係る装身具用留め具（１）の構造についての説明である。次に、本発明の第４実施形態に係る装身具用留め具（１）の構造について添付図面に基づいて説明する。尚、本発明の第４実施形態に係る装身具用留め具（１）の構造は、下記の事項以外、前記の本発明の第１実施形態ないし第３実施形態に係る装身具用留め具（１）の構造と同一である。
【００８９】
雄型部材（２）に係るカバー体（２ｃ）は、図１８及び１９に図示するように、有天筒状の部材であって、正面視上方に向って窄んでいくような丸みを帯びた形状をしているとともに、側面視上方と下方に向って窄んでいくような形状をしている。また、第１の装身具取付部（２ｂ）は、雄型部材（２）に係るカバー体（２ｃ）の下端部の外側面に設けられている。
【００９０】
雌型部材（３）に係るカバー体（３ｃ）は、図１８及び１９に図示するように、有底筒状の部材であって、正面視下方に向って窄んでいくような丸みを帯びた形状をしているとともに、側面視上方と下方に向って窄んでいくような形状をしている。また、第２の装身具取付部（３ｂ）は、雌型部材（３）に係るカバー体（３ｃ）の上端部の外側面に設けられている。
【００９１】
装身具用留め具（１）は、図１９に図示するように、装身具用留め具（１）の連結を解除する際に、着用者がその指で装身具用留め具（１）を摘むための摘み凹部（１ａ）が雄型部材（２）と雌型部材（３）とに跨って設けられている。摘み凹部（１ａ）は、図では、正面と背面とに設けられているが、側面あるいは全周にわたって設けてもよく、特にこれを設ける箇所は限定されない。尚、摘み凹部（１ａ）は、図示するように、その端部が丸みを帯びていると、着用者が触れた際にその指に痛みを感じることが少なくなり、好適である。
【００９２】
そうすると、装身具用留め具（１）の連結を解除する際に、着用者がその指を摘み凹部（１ａ）に挿し込まれると、着用者の指によって押圧された雄型部材（２）と雌型部材（３）とが離れることになるため、着用者が装身具用留め具（１）の連結を解除する操作が行い易くなっているのである。
【００９３】
以上が、本発明の第４実施形態に係る装身具用留め具（１）の構造についての説明である。次に、本発明の第５実施形態に係る装身具用留め具（１）の構造について添付図面に基づいて説明する。尚、本発明の第５実施形態に係る装身具用留め具（１）の構造は、下記の事項以外、前記の本発明の第１実施形態ないし第４実施形態に係る装身具用留め具（１）の構造と同一である。
【００９４】
雄型部材（２）に係るカバー体（２ｃ）は、図２０及び２１に図示するように、有天筒状の部材であって、上方に向って窄んでいくような丸みを帯びた形状をしている。また、第１の装身具取付部（２ｂ）は、雄型部材（２）に係るカバー体（２ｃ）の下端部の外側面に設けられている。
【００９５】
雌型部材（３）に係るカバー体（３ｃ）は、図２０及び２１に図示するように、有底筒状の部材であって、正面視下方に向って窄んでいくような丸みを帯びた形状をしている。また、第２の装身具取付部（３ｂ）は、雌型部材（３）に係るカバー体（３ｃ）の上端部の外側面に設けられている。
【００９６】
装身具用留め具（１）は、図２０及び２１に図示するように、装身具用留め具（１）の連結を解除する際に着用者が雄型部材（２）と雌型部材（３）とを摘むことができるようにするため、正面視幅方向の長さと奥行き方向の長さとを異なるものとしている。図では、装身具用留め具（１）は、正面視幅方向の長さよりも奥行き方向の長さを短いものとしているが、これとは反対に正面視幅方向の長さを奥行き方向の長さよりも短いものとしてもよい。
【００９７】
そうすると、装身具用留め具（１）は、図２２に図示するように、その連結を解除する際、着用者が雄型部材（２）と雌型部材（３）とを捻ると、着用者の指が引っ掛かる個所が生じるため、着用者が装身具用留め具（１）の連結を解除する操作が行い易くなっている。
【００９８】
以上が、本発明の第５実施形態に係る装身具用留め具（１）の構造についての説明である。次に、本発明の第６実施形態に係る装身具用留め具（１）の構造について添付図面に基づいて説明する。尚、本発明の第６実施形態に係る装身具用留め具（１）の構造は、下記の事項以外、前記の本発明の第１実施形態ないし第５実施形態に係る装身具用留め具（１）の構造と同一である。
【００９９】
雄型部材（２）に係るカバー体（２ｃ）は、図２３及び２４に図示するように、有天筒状の部材であり、第１の装身具取付部（２ｂ）がその下端部の外側面に設けられている。また、雌型部材（３）に係るカバー体（３ｃ）は、図２３及び２４に図示するように、有底筒状の部材であり、第２の装身具取付部（３ｂ）がその上端部の外側面に設けられている。
【０１００】
装身具用留め具（１）は、図２３及び２４に図示するように、雄型部材（２）におけるカバー体（２ｃ）と雌型部材（３）におけるカバー体（３ｃ）とが当接する箇所を単数又は複数の凹凸状に対向する形状に形成することができる。具体的には、図２３に図示するように、雄型部材（２）におけるカバー体（２ｃ）の下端部を正面視山型に形成するのに対して、雌型部材（３）におけるカバー体（３ｃ）の上端部を正面視谷型に形成することが考えられる。あるいは、図２４に図示するように、雄型部材（２）におけるカバー体（２ｃ）の下端部を波型に形成するのに対して、雌型部材（３）におけるカバー体（３ｃ）の上端部をこれに対向する波型に形成することも考えられる。
【０１０１】
尚、上述の持ち手（２ｅ）は、図２５に図示するように、雄型部材（２）の上端部に、小型のリング状の取付部材を介して、大型のリング状の部材等を持ち手（２ｅ）として取り付けることもできる。持ち手（２ｅ）を上記のような態様にすると、図２５に図示するように、持ち手（２ｅ）を様々な形状に形成することで、装身具用留め具（１）の装飾性を一層高めることができ、好適である。
【０１０２】
以上が、本発明に係る装身具用留め具（１）の構造についての説明である。次に、本発明に係る装身具用留め具（１）の使用態様について添付図面に基づいて説明する。ここでは、装身具（Ａ）がネックレスである場合について説明するが、装身具（Ａ）は対向する端部を有する装身具であればよく、ブレスレット等の他の装身具であってもよい。また、装身具用留め具（１）は、ネックレス本体に別の装飾体を取り付けることにも用いることができる。
【０１０３】
着用者は、装身具（Ａ）を着用する際、図３及び４、図８、９及び１２、図１５及び１６、図１８ないし２１、並びに図２３ないし２５に図示するように、装身具（Ａ）の両端部を把持して首の後ろに回し、装身具（Ａ）の一端に取り付けられた雄型部材（２）を装身具（Ａ）の他端に取り付けられた雌型部材（３）に連結させるべく、嵌入部（２ｄ）について収容口（３ｅ）を介して収容部（３ｄ）内へと嵌入させ、第１の磁性体（２ａ）と第２の磁性体（３ａ）とを磁着させる。
【０１０４】
このとき、雌型部材（３）にストッパー部材（３ｉ）が設けられている場合には、着用者は、ストッパー部材（３ｉ）を操作して、収容口（３ｅ）を閉塞することによって雄型部材（２）の脱出を防止する。具体的には、図１２に図示するように、ストッパー部材（３ｉ）が、上記のような態様である場合には、着用者は、ストッパー部材（３ｉ）を回動させて横倒しにし、収容口（３ｄ）を閉塞するのである。
【０１０５】
また、図１ないし１２に図示するように、装身具用留め具（１）に収容口方向認識部（３ｈ）が雌型部材（３）におけるカバー体（３ｃ）の外周面上に設けられている場合には、着用者は、装身具（Ａ）を着脱する際、収容口方向認識部（３ｈ）に接触することによって、雌型部材（３）の収容口（３ｅ）が雄型部材（２）を嵌入する方向に対向しているのか否かを認識することができる。よって、着用者は、雄型部材（２）を雌型部材（３）に嵌入する際に、円滑にこれを嵌入することができる。
【０１０６】
更に、図１ないし１７に図示するように、装身具用留め具（１）が、雌型部材（３）における収容口（３ｅ）の近傍に収容口（３ｅ）からその外周面に向って広がる形状を有しているとともに、収容口（３ｅ）から雄型部材（２）側へと延びる逸脱防止部（３ｇ）を有している場合には、雄型部材（２）が収容口（３ｅ）から逸れて雌型部材（３）方向へと進入し、雌型部材（３）の外周面上といった本来雄型部材（２）を嵌入して磁着させるべき雌型部材（３）の収容部（３ｄ）以外の箇所に誤って磁着することを防止できる。
【０１０７】
そして、装身具用留め具（１）は、第１の装身具取付部（２ｂ）と第２の装身具取付部（３ｂ）とが、雄型部材（２）を雌型部材（３）に嵌入する方向上で対向しないように配置されているとともに、図５、１０、及び１７に図示するように、相互に連結された装身具（Ａ）の両端部が反対方向に引っ張られた際に、第１の装身具取付部（２ｂ）が第２の装身具取付部（３ｂ）から雌型部材（３）側へと位置するように配置されているか、あるいは第２の装身具取付部（３ｂ）が第１の装身具取付部（２ｂ）から雄型部材（２）側へと位置するように配置されている。換言すれば、装身具用留め具（１）は、雄型部材（２）と雌型部材（３）とを連結した場合に、雄型部材（２）を雌型部材（３）に嵌入する方向に対して、第２の装身具取付部（３ｂ）の位置が第１の装身具取付部（２ｂ）の位置以上に高い箇所にある。また、雄型部材（２）の全長を雌型部材（３）における収容部（３ｄ）の幅方向の長さよりも長く形成することによって、雄型部材（２）が収容口（３ｅ）に引っ掛かるようになっている。そうすると、装身具（Ａ）の両端部が反対方向に引っ張られた際に、雄型部材（２）側の装身具（Ａ）端部と雄型部材（２）とが第１の装身具取付部（２ｂ）において屈曲し、嵌入部（２ｄ）の外周面が収容部（３ｄ）の内周面と摩擦することによって、雄型部材（２）が雌型部材（３）から容易に外れ難くなる。
【０１０８】
着用者は、装身具（Ａ）を取り外す際、図１及び２、図６、７及び１１、並びに図１３及び１４に図示するように、装身具（Ａ）の両端部を把持して、嵌入部（２ｄ）について収容口（３ｅ）を介して収容部（３ｄ）内から脱出させ、第１の磁性体（２ａ）と第２の磁性体（３ａ）とを引き離して、雄型部材（２）と雌型部材（３）との連結を解除する。
【０１０９】
このとき、雌型部材（３）にストッパー部材（３ｉ）が設けられている場合には、着用者は、ストッパー部材（３ｉ）を操作して、収容口（３ｅ）を開放することによって雄型部材（２）を脱出させる。具体的には、図１１に図示するように、ストッパー部材（３ｉ）が、上記のような態様である場合には、着用者は、ストッパー部材（３ｉ）を回動させてこれを立ち上げ、収容口（３ｅ）を開放するのである。
【０１１０】
また、図１８及び１９に図示するように、装身具用留め具（１）が、摘み凹部（１ａ）を雄型部材（２）と雌型部材（３）とに跨って設けている場合には、装身具用留め具（１）の連結を解除する際に、着用者がその指を摘み凹部（１ａ）に挿し込むと、着用者の指によって押圧された雄型部材（２）と雌型部材（３）とが離れることになるため、着用者が装身具用留め具（１）の連結を解除する操作が行い易くなっている。
【０１１１】
更に、図２０ないし２２に図示するように、装身具用留め具（１）が、正面視幅方向の長さと奥行き方向の長さとを異なるものとしている場合には、着用者が雄型部材（２）と雌型部材（３）とを捻ると、着用者の指が引っ掛かる個所が生じるため、着用者が装身具用留め具（１）の連結を解除する操作が行い易くなっている。
【０１１２】
そして、図２３ないし２５に図示するように、雄型部材（２）におけるカバー体（２ｃ）と雌型部材（３）におけるカバー体（３ｃ）とが当接する箇所を単数又は複数の凹凸状に対向する形状に形成することにより、特に雄型部材（２）を雌型部材（３）に嵌入する方向に対して垂直に引っ張られることがあっても、雄型部材（２）が雌型部材（３）から容易に外れ難くなっていて、好適である。また、雄型部材（２）を雌型部材（３）に嵌入する方向に対して直交する方向に引っ張られることがあっても、第１の磁性体（２ａ）及び第２の磁性体（３ａ）に過度の負担がかからないため、これらが破損するおそれを低減することができる。そして、雄型部材（２）と雌型部材（３）との連結を解除する際は、両部材を反対方向に回動させることにより、雄型部材（２）におけるカバー体（２ｃ）の凸部が雌型部材（３）におけるカバー体（３ｃ）の凸部に乗り上げる格好になり、第１の磁性体（２ａ）と第２の磁性体（３ａ）との間に間隙が生じるため、簡便にそれらの連結を解除することができる。
【符号の説明】
【０１１３】
１  装身具用留め具
１ａ  摘み凹部
２  雄型部材
２ａ  第１の磁性体
２ｂ  第１の装身具取付部
２ｃ  カバー体
２ｄ  嵌入部
２ｅ  持ち手
３  雌型部材
３ａ  第２の磁性体
３ｂ  第２の装身具取付部
３ｃ  カバー体
３ｄ  収容部
３ｅ  収容口
３ｆ  装身具引き出し部
３ｇ  逸脱防止部
３ｈ  収容口方向認識部
３ｉ  ストッパー部材
Ａ  装身具
【図１】
2019162418.tif 000003
【図２】
2019162418.tif 000004
【図３】
2019162418.tif 000005
【図４】
2019162418.tif 000006
【図５】
2019162418.tif 000007
【図６】
2019162418.tif 000008
【図７】
2019162418.tif 000009
【図８】
2019162418.tif 000010
【図９】
2019162418.tif 000011
【図１０】
2019162418.tif 000012
【図１１】
2019162418.tif 000013
【図１２】
2019162418.tif 000014
【図１３】
2019162418.tif 000015
【図１４】
2019162418.tif 000016
【図１５】
2019162418.tif 000017
【図１６】
2019162418.tif 000018
【図１７】
2019162418.tif 000019
【図１８】
2019162418.tif 000020
【図１９】
2019162418.tif 000021
【図２０】
2019162418.tif 000022
【図２１】
2019162418.tif 000023
【図２２】
2019162418.tif 000024
【図２３】
2019162418.tif 000025
【図２４】
2019162418.tif 000026
【図２５】
2019162418.tif 000027